(57)【要約】【課題】  築中の建屋の周囲等に仮設される足場に設備される足場用幅木装置について、安全性の確保を充分に果たし製造コストが低くする。【解決手段】  支柱の間に横材Ｂが掛渡された枠組構造に作業床となる布板が取付けられた足場に設備される。幅木１と、板材で楔形に形成され幅木１の長さ方向の両端部の下部に接合されて固定され下端部が幅木１の下縁から下方へ突出された取付用部材２と、上方から取付用部材２が抜差しされる箱形に形成され足場の横材Ｂに取付けられた楔形の取付受部材３とからなる。【選択図】        図１
2014201969.tif 000002
【特許請求の範囲】
【請求項１】
支柱の間に横材が掛渡された枠組構造に作業床となる布板が取付けられた足場に設備されるものであって、幅木と、板材で楔形に形成され幅木の長さ方向の両端部の下部に接合されて固定され下端部が幅木の下縁から下方へ突出された取付部材と、上方から取付部材が抜差しされる箱形に形成され足場の支柱または横材に取付けられた楔形の取付受部材とからなることを特徴とする足場用幅木装置。
【請求項２】
請求項１の足場用幅木装置において、取付部材と取付受部材とは幅木の長さ方向の内側にのみに上方から下方に向けて幅木の長さ方向の外側へ傾斜した楔面が設けられた片面形の楔形であることを特徴とする足場用幅木装置。
【請求項３】
請求項２の足場用幅木装置において、取付部材は楔面の反対側が幅木の長さ方向へ傾斜しない垂直面に形成され、取付受部材は楔面の反対側が横方向に軸線を有した円弧面であることを特徴とする足場用幅木装置。
【請求項４】
請求項１〜３のいずれかの足場用幅木装置において、取付受部材は上下方向の長さが差込まれた取付部材の下端部の一部を露出させるように設定され、取付用部材は下端縁が幅木の長さ方向と平行になるように設定されていることを特徴とする足場用幅木装置。
【発明の詳細な説明】
【技術分野】
【０００１】
本発明は、建築中の建屋の周囲等に仮設される足場に設備される足場用幅木装置に係る技術分野に属する。
【背景技術】
【０００２】
最近、足場の安全性を確保する法的規制の強化を背景にして、足場の作業（歩行）空間の側方下部に板状の幅木が備えられるようになってきている。この幅木については、足場に対して大量の取付け，取外しが必要になることから、取付け，取外しの作業が容易であることが望まれる。
【０００３】
従来、幅木の取付け，取外しの作業の容易化を指向した技術としては、例えば、特許文献１に記載のものが知られている。
【０００４】
特許文献１には、支柱の間に横材が掛渡された枠組構造に作業床となる布板（踏板）が取付けられた足場に設備されるものであって、幅木と、金属線材でフック形に形成されて幅木の長さ方向の両端部に取付けられ足場の支柱に係合される取付用部材とからなる足場用幅木装置が記載されている。
【０００５】
特許文献１に係る足場用幅木装置は、取付用部材を足場の支柱に係合着脱させ、幅木を足場に対してワンタッチで取付け，取外しすることができるようにすることで、幅木の取付け，取外しの作業を容易化するものである。
【先行技術文献】
【特許文献】
【０００６】
【特許文献１】実用新案登録第３１６６６８７号公報
【発明の概要】
【発明が解決しようとする課題】
【０００７】
特許文献１に係る足場用幅木装置では、取付用部材が細い金属線材からなるため、幅木の足場への取付強度が低く安全性の確保が充分に果たされないともに、取付用部材の幅木への取付け工作が面倒で製造コストが嵩んでしまうという問題点がある。
【０００８】
本発明は、このような問題点を考慮してなされたもので、安全性の確保を充分に果たすことができて製造コストが低い足場用幅木装置を提供することを課題とする。
【課題を解決するための手段】
【０００９】
前述の課題を解決するため、本発明に係る足場用幅木装置は、特許請求の範囲の各請求項に記載の手段を採用する。
【００１０】
即ち、請求項１では、支柱の間に横材が掛渡された枠組構造に作業床となる布板が取付けられた足場に設備されるものであって、幅木と、板材で楔形に形成され幅木の長さ方向の両端部の下部に接合されて固定され下端部が幅木の下縁から下方へ突出された取付用部材と、上方から取付用部材が抜差しされる箱形に形成され足場の支柱または横材に取付けられた楔形の取付受部材とからなることを特徴とする。
【００１１】
この手段では、板材で楔形の取付用部材が箱形で楔形の取付受部材に差込まれることで、幅木が足場の支柱または横材に取付けられる。また、板材である取付用部材が幅木に接合されて固定される。
【００１２】
また、請求項２では、請求項１の足場用幅木装置において、取付用部材と取付受部材とは幅木の長さ方向の内側にのみに上方から下方に向けて幅木の長さ方向の外側へ傾斜した楔面が設けられた片面形の楔形であることを特徴とする。
【００１３】
この手段では、取付用部材と取付受部材との楔形が幅木の長さ方向の内側にのみに楔面が設けられた片面形であることから、取付用部材が取付受部材に差込まれると幅木に長さ方向の外側への引張力が作用する。
【００１４】
また、請求項３では、請求項２の足場用幅木装置において、取付用部材は楔面の反対側が幅木の長さ方向へ傾斜しない垂直面に形成され、取付受部材は楔面の反対側が横方向に軸線を有した円弧面であることを特徴とする。
【００１５】
この手段では、取付用部材に垂直面が設けられ取付受部材に円弧面が設けられることで、取付用部材が取付受部材に差込まれる際に取付用部材の垂直面が取付受部材にの円弧面に案内される。
【００１６】
また、請求項４では、請求項１〜３のいずれかの足場用幅木装置において、取付受部材は上下方向の長さが差込まれた取付用部材の下端部の一部を露出させるように設定され、取付用部材は下端縁が幅木の長さ方向と平行になるように設定されていることを特徴とする。
【００１７】
この手段では、取付用部材が差込まれた取付受部材から下端部の一部が露出されて下端縁が幅木の長さ方向と平行であることで、取付受部材に差込まれている取付用部材の下端縁を工具で打突することができる。
【発明の効果】
【００１８】
本発明に係る足場用幅木装置は、板材で楔形の取付用部材が箱形で楔形の取付受部材に差込まれることで、幅木が足場の支柱または横材に取付けられるため、幅木の足場への取付強度が高くなって安全性の確保が充分に果たされる効果がある。また、板材である取付用部材が幅木に接合されて固定されるため、取付用部材の幅木への取付け工作が容易となって製造コストが低くなる効果がある。
【００１９】
さらに、請求項２として、取付用部材と取付受部材との楔形が幅木の長さ方向の内側にのみに楔面が設けられた片面形であることから、取付用部材が取付受部材に差込まれると幅木に長さ方向の外側への引張力が作用するため、足場に取付けられた幅木の撓み変形が防止される効果がある。
【００２０】
さらに、請求項３として、取付用部材に垂直面が設けられ取付受部材に円弧面が設けられることで、取付用部材が取付受部材に差込まれる際に取付用部材の垂直面が取付受部材にの円弧面に案内されるため、取付用部材の取付受部材への差込みをスムースに行うことができる効果がある。
【００２１】
さらに、請求項４として、取付用部材が差込まれた取付受部材から下端部の一部が露出されて下端縁が幅木の長さ方向と平行であることで、取付受部材に差込まれている取付用部材の下端縁を工具で打突することができるため、取付用部材の取付受部材からの引抜きの際に工具の打突で取付用部材と取付受部材との密着を解除し、取付用部材の引抜きをスムースに行うことができる効果がある。
【図面の簡単な説明】
【００２２】
【図１】本発明に係る足場用幅木装置を実施するための形態の第１例の斜視図であり、（Ａ）に幅木の足場への取付前の状態が示され、（Ｂ）に幅木の足場への取付後の状態が示されている。
【図２】図１の幅木と取付用部材との製造例を示す拡大図である。
【図３】図１の取付受部材の製造例を示す拡大図である。
【図４】図１の詳細な拡大された側面図である。
【図５】図１の詳細な拡大された背面図である。
【図６】図１の要部の拡大断面図であり、（Ａ）に図１（Ｂ）の直前の状態が示され、（Ｂ）に図１（Ｂ）の状態が示されている。
【図７】本発明に係る足場用幅木装置を実施するための形態の第２例の斜視図である。
【図８】本発明に係る足場用幅木装置を実施するための形態の第３例の斜視図である。
【発明を実施するための形態】
【００２３】
以下、本発明に係る足場用幅木装置を実施するための形態を図面に基づいて説明する。
【００２４】
図１〜図６は、本発明に係る足場用幅木装置を実施するための形態の第１例を示すものである。
【００２５】
第１例では、図４，図５に示すように、建屋の周囲等に地上から立設された丸パイプからなる支柱Ａの間に丸パイプからなる横材Ｂが掛渡された枠組構造に作業床となる布板Ｃが取付けられた足場に設備されるものを示してある。
【００２６】
この足場では、支柱Ａの外周面に軸中心に対して１８０度の角度を介して１対の差込受（こま）Ｄが固定され、横材Ｂに固定された差込片Ｅを差込受Ｄに差込むことによって、ワンタッチで横材Ｂを支柱Ａに組付けることができるようになっている。なお、差込受Ｄについては、取付け高さを異ならせて他の１対と軸中心に対して９０度の角度を介してさらにもう１対が固定され、足場の隅（角）部での支柱Ａ，横材Ｂの組付けを可能にしている。また、布板Ｃは、内側（建屋側），外側の支柱Ａの間に組付けられた梁である横材Ｂに掛渡されたアームＦによって下支えされている。
【００２７】
第１例は、図１に示すように、幅木１，取付用部材２，取付受部材３の各部で構成されている。
【００２８】
幅木１は、薄い金属板からなるもので、長方形の本体部１１の上部と側部とにフランジ部１２，１３が設けられた構造になっている。この構造は、軽量性を維持しつつある程度の剛性を確保するもので、長方形の金属板の上端縁と側端縁とを９０度折曲げることで形成される（図２参照）。
【００２９】
取付用部材２は、縦長の変形の金属製の板材からなるもので、上半部２１が幅木１の本体部１１の長さ方向の両端部の下部にそれぞれ接合されて溶接等で固定され、下半部（下端部）２２が幅木１の本体部１１の下縁から下方へ突出されている。下半部２２は、幅木１の本体部１１の長さ方向の内側に上方から下方に向けて幅木１の本体部１１の長さ方向の外側へ傾斜した楔面２２ａが設けられ、楔面２２ａの反対側に幅木１の本体部１１の長さ方向へ傾斜しない垂直面２２ｂが設けられ、片面形の楔形に形成されている。なお、下半部２２の垂直面２２ｂの基部には、横材Ｂを避けるために上半部２１を切除した格好となる段部２２ｃが設けられている。また、下半部２２の下端縁は、幅木１の本体部１１の長さ方向と平行な下端面２２ｄが設けられている。
【００３０】
取付受部材３は、金属板の屈曲加工で幅木１の本体部１１の長さ方向に沿った断面形状がほぼコ字形となった箱形に形成され、取付用部材２の下半部２２が上方から抜差しされるようにコ字形の開放側を円弧形にして横材Ｂの外周面に溶接等で固定されている（図３参照）。この取付受部材３は、幅木１の本体部１１の長さ方向の内側に上方から下方に向けて幅木１の本体部１１の長さ方向の外側へ傾斜した楔面３１が設けられ、楔面３１の反対側に横方向に軸線を有した円周面をもった横材Ｂの一部を利用した円弧面３２が設けられている。また、取付受部材３の上下方向の長さは、差込まれた取付用部材２の下半部２２の下端部の一部を露出させるように設定されている。
【００３１】
第１例によると、図１に示すように、幅木１を掴んで取付用部材２の下半部２２を取付受部材３に抜差しすることで、幅木１をワンタッチで足場に取付け，取外しすることができる。従って、幅木１の取付け，取外しの作業の容易性は確保されている。
【００３２】
そして、足場に取付けられた幅木１は、楔形の取付用部材２，取付受部材３で強固に保持される。従って、幅木１の足場への取付強度が高くなって安全性の確保が充分に果たされることになる。
【００３３】
なお、幅木１を足場に取付ける際には、図６（Ａ）に示すように、取付受部材３に進入する取付用部材２の下半部２２の垂直面２２ｂ，下端面２２ｄが円弧面３２で滑るように案内される。従って、取付用部材２の取付受部材３への差込みをスムースに行うことができる。
【００３４】
また、幅木１が足場に取付けられた状態では、図６（Ｂ）に示すように、取付用部材２の下半部２２の楔面２２ａと取付受部材３の楔面３１との片面形の楔形の係合によって、幅木１の本体部１１の長さ方向の外側への引張力Ｐを作用させることができる。この結果、足場に取付けられた幅木１の無用な撓み変形が防止されることになる。
【００３５】
また、幅木１を足場から取外す際には、図６（Ｂ）に示される状態で取付受部材３から露出されている取付用部材２の下半部２２の下端面２２ｄをハンマ等の工具で打突することができる。この結果、取付用部材２と取付受部材３との密着を解除し、取付用部材２の引抜きをスムースに行うことができる。
【００３６】
さらに、第１例によると、また、取付用部材２が板材で上半部２１が幅木１の本体部１１に接合されて溶接等で固定されるため、取付用部材２の幅木１への取付け工作が容易となる。従って、製造コストが低くなる。
【００３７】
図７は、本発明に係る足場用幅木装置を実施するための形態の第２例を示すものである。
【００３８】
第２例では、第１例の取付受部材３が横材Ｂの端口に嵌合される円筒形のキャップ体４に固定されている。また、このキャップ体４には、第１例で横材Ｂに固定されていた差込片Ｅが固定されている。
【００３９】
第２例によると、キャップ体４を横材Ｂの端口から取外すことで。運搬，収納の際の横材Ｂからの無用の突出を避けることができる。
【００４０】
図８は、本発明に係る足場用幅木装置を実施するための形態の第３例を示すものである。
【００４１】
第３例では、第１例の取付受部材３が支柱Ａに固定された中継パイプ５に固定されている。
【００４２】
第３例によると、足場の支柱Ａに幅木１を取付けることで、足場の隅部で幅木１が作業床を遮断する格好となるのを避けることができる。
【産業上の利用可能性】
【００４３】
本発明に係る足場用幅木装置は、建築中の建屋の周囲等に仮設されるもの以外の広範な足場への設備が可能である。  
【符号の説明】
【００４４】
１            幅木
２            取付用部材
２２          下半部
２２ａ        楔面
２２ｂ        垂直面
２２ｄ        下端面（下端縁）
３            取付受部材
３１          楔面
３２          円弧面
Ａ            支柱（足場）
Ｂ            横材（足場）
Ｃ            布板（足場）
【図１】
2014201969.tif 000003
【図２】
2014201969.tif 000004
【図３】
2014201969.tif 000005
【図４】
2014201969.tif 000006
【図５】
2014201969.tif 000007
【図６】
2014201969.tif 000008
【図７】
2014201969.tif 000009
【図８】
2014201969.tif 000010